(57)【要約】【課題】製造工程の増加およびコスト上昇を招かずに図柄を立体的に認識可能にする遊技機のリールテープを提供する。【解決手段】本発明に係る遊技機のリールテープ１００は、テープ基材１０１と、テープ基材の一方の面に設けられた図柄１２２とを備え、図柄１２２は、テープ基材１０１の一方の面において図柄１０２が設けられる図柄領域１２２ａ上に印刷形成された凹凸１２５ａを有する凹凸メジウムインク層１２５と、凹凸メジウムインク層１２５の上に重ねて印刷形成された鏡面性を有する鏡面インク層１２６とを有して構成される。【選択図】  図８
2004242982.tif 000002
【特許請求の範囲】
【請求項１】
テープ基材と、
前記テープ基材の一方の面に設けられた図柄とを備え、
前記図柄は、
前記テープ基材の前記一方の面において前記図柄が設けられる図柄領域上に印刷形成された凹凸を有する凹凸メジウムインク層と、
前記凹凸メジウムインク層の上に重ねて印刷形成された鏡面性を有する鏡面インク層とを有して構成されることを特徴とする遊技機のリールテープ。
【請求項２】
前記テープ基材と、前記凹凸メジウムインク層とがそれぞれ透明であることを特徴とする請求項１に記載の遊技機のリールテープ。
【請求項３】
前記凹凸メジウムインク層は、前記図柄領域の縁部近傍に繋がって形成された凹部もしくは凸部を有して構成されることを特徴とする請求項１もしくは請求項２に記載の遊技機のリールテープ。
【請求項４】
前記図柄に光が透過可能な抜き部が設けられていることを特徴とする請求項１から請求項３のうちいずれか一項記載の遊技機のリールテープ。
【発明の詳細な説明】
【０００１】
【発明の属する技術分野】
本発明は、スロットマシンやパチンコ機等の遊技機に用いられるリールテープに関し、さらに詳しくは、リールテープに描かれる図柄の表示方法に関する。
【０００２】
【従来の技術】
リールテープを備えた遊技機の代表例としてスロットマシンがある。スロットマシンは、略直方体状のキャビネットケース内に多種の図柄が描かれたリールを回転可能に配設して構成される。キャビネットケースの正面にはリールと位置整合して透視窓が配設されており、多種の図柄が描かれたリールの所定範囲をスロットマシンの機体正面に臨ませている。リールは、円筒状のリール本体と、多種の図柄が描かれたリールテープとを主体に構成され、リールテープをリール本体の円筒外周面に装着することで、リール（リール本体）の円筒外周面に沿って多種の図柄が形成される。
【０００３】
従来のリールテープは、リールテープの表面に単に各種図柄を印刷しただけものであって、リールテープの表面に印刷された各種図柄は全て平面的に表示されるため、スロットマシンの重要な表示物であるにもかかわらず、透視窓を通してリールテープを見たときにスロットマシンの正面に付された装飾模様等との識別力に欠ける感じがあった。
【０００４】
そこで、リールテープの図柄に立体感を付加することにより、透視窓を通して図柄を見たときの印象ないし視覚的効果を増加させるため、例えば、実開昭６２−９０６８５号公報や特開平４−２０８１７６号公報で開示されるように、リールテープの図柄が描かれた表面部分を他の部分より突出もしくは浮き出させて立体的に形成することが知られている。また、リールテープの図柄を除いた背景部分に特定の背景図柄を描き、リールテープの図柄が背景部分よりも浮き上がって見える錯覚を引き起こすようにしたものも開示されている（例えば、特許文献３参照）。
【０００５】
【特許文献１】実開昭６２−９０６８５号公報
【特許文献２】特開平４−２０８１７６号公報
【特許文献３】特開平８−３０８９８１号公報
【０００６】
【発明が解決しようとする課題】
しかしながら、リールテープの図柄が描かれた表面部分を他の部分より突出させる（もしくは浮き出させる）場合には、従来のリールテープの製造工程に加え、リールテープの図柄部分を裏側から押圧したり、あるいは図柄の型版をテープ表面に固着するというような工程が付加されてリールテープの製造工程が増加するため、リールテープのコスト上昇を招いていた。
【０００７】
本発明はこのような問題に鑑みてなされたものであり、製造工程の増加およびコスト上昇を招かずに図柄を立体的に認識可能にする遊技機のリールテープを提供することを目的とする。
【０００８】
【課題を解決するための手段】
このような目的達成のため、本発明に係る遊技機のリールテープは、テープ基材と、テープ基材の一方の面に設けられた図柄（例えば、実施形態における大当たり図柄１２２）とを備え、図柄は、テープ基材の一方の面において図柄が設けられる図柄領域（例えば、実施形態における大当たり図柄領域１２２ａ）上に印刷形成された凹凸を有する凹凸メジウムインク層と、凹凸メジウムインク層の上に重ねて印刷形成された鏡面性を有する鏡面インク層とを有して構成されることを特徴とする。
【０００９】
このような構成の遊技機のリールテープによれば、凹凸メジウムインク層により鏡面インク層が凹凸を有するように形成されるため、テープ基材の他方の面からテープ基材を通して図柄を見たときに、図柄が立体的に見えることから、リールテープの図柄部分を裏側から押圧したり、あるいは図柄の型版をテープ表面に固着するというような工程を付加する必要がなく、製造工程の増加およびコスト上昇を招かずに図柄を立体的に認識することができる。
【００１０】
また、テープ基材と、凹凸メジウムインク層とがそれぞれ透明であることが好ましい。このようにすれば、テープ基材の他方の面からテープ基材を通して図柄を見たときに、より明確に図柄を認識することができる。
【００１１】
さらに、凹凸メジウムインク層は、図柄領域の縁部近傍に繋がって形成された凹部もしくは凸部を有して構成されることが好ましい。このようにすれば、鏡面インク層における凹凸の境界部分が図柄（領域）の縁部近傍に位置して、図柄全体が立体的に見えるため、図柄をより立体的に認識することができる。
【００１２】
また、図柄に光が透過可能な抜き部が設けられていることが好ましい。このようにすれば、鏡面インク層では光が透過しないため、バックランプをリールの内側周部で点灯させると、図柄の鏡面インク層を有する部分ではバックランプからの光が透過できないが、図柄に設けられた抜き部ではバックランプからの光が透過できることから、バックランプを点灯させたときの図柄の識別力を向上させることができるとともに、特定の図柄を狙ってリールを停止させることが容易になる。
【００１３】
【発明の実施の形態】
以下、本発明の好ましい実施形態について図面を参照しながら説明する。本発明に係るリールテープを備えた遊技機の代表例としてスロットマシンＳＭを図１および図２に示しており、まず、これらの図面を参照しながらスロットマシンＳＭの全体構成について要約説明する。ここで、図１はスロットマシンＳＭの斜視図、図２は上記スロットマシンＳＭにおける前面扉を取り外した状態を示す正面図である。
【００１４】
スロットマシンＳＭは、前面側に開口を有する箱状の筐体２と、この開口を開閉自在に覆って取り付けられる前面扉３とから構成される略直方体状のキャビネットケース１内に遊技構成装置を配設して構成される。前面扉３は、筐体２および前面扉３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１５】
筐体２の内部には、円筒外周面に沿って多種の図柄が設けられた三つのリール７０，７０，７０が遊技構成装置として回転可能に配設されており、さらに筐体２の内部には、三つのリール７０，７０，７０を回転・停止駆動させるリールユニット５０、遊技メダルの払出を行うメダル払出装置（ホッパとも称される）２１、スロットマシンＳＭの作動を統括的に制御する主制御基板２２、リールユニット５０やメダル払出装置２１、主制御基板２２等の構成機器に電力を供給する電源装置２３などが取り付けられている。
【００１６】
一方、前面扉３には、メダル投入口３１、スタートレバー３２や停止ボタン３３，３３，３３等や、左右の上部スピーカ３４，３４および下部スピーカ３５等が取り付けられ、図示しないワイヤーハーネス（電気配線）で筐体２側の主制御基板２２や電源装置２３などと接続されている。また前面扉３の中間部には、三つのリール７０，７０，７０と位置整合して透視窓３７が配設されており、三つのリールの所定範囲を機体正面に臨ませている。さらに前面扉３の中央下部には、前面扉３に設けられたメダル通路（図示せず）と位置整合してメダル払出口３８が設けられるとともに、その下部に受け皿３９が配設されており、図示しないメダルセレクタから返却される返却メダルや、メダル払出装置２１から払い出された遊技メダルがメダル払出口３８を通過して受け皿３９で受け止められ貯留されるように構成されている。
【００１７】
このように構成されたスロットマシンＳＭでは、遊技者がメダル投入口３１より遊技メダルを投入し、スタートレバー３２を操作すると、三つのリール７０，７０，７０が回転起動する。遊技者は回転している三つのリール７０，７０，７０を任意に選択し、所望の順序及びタイミングで停止ボタン３３，３３，３３を操作して、三つのリール７０，７０，７０を停止させる。
【００１８】
このとき、主制御基板２２で行われた入賞図柄抽選の結果を基に図柄制御処理が行われる。この図柄制御処理においては、先の入賞図柄抽選の結果に応じ、停止ボタン３３が（オン）操作されたときに所定の図柄が揃うようにしたり、あるいは図柄が揃わないようにする制御が行われる。
【００１９】
例えば、図５に示すように（図１も参照）、リール７０（本発明に係るリールテープ１００）に設けられた各種図柄１２０の中で、停止ボタン３３が（オン）操作されたときに透視窓３７における中央有効ライン３７ａ上に位置するライン図柄１２０ａと、このライン図柄１２０ａからリール７０の回転方向（図５中の矢印の向かう方向）と逆に数えて４つ目までの図柄とが、停止ボタン３３が（オン）操作されたときに中央有効ライン３７ａ上に停止することができる停止可能図柄１２０ｂとなっている。なお、図１に示すように、透視窓３７において、中央有効ライン３７ａの他に、中央有効ライン３７ａの上下に位置する上部有効ライン３７ｂおよび下部有効ライン３７ｃや、左斜め有効ライン３７ｄおよび右斜め有効ライン３７ｅが存在する。
【００２０】
そして、入賞図柄抽選により所定の役が当選した場合、役を構成する入賞図柄が停止可能図柄１２０ｂの中に存在するときには中央有効ライン３７ａ上に入賞図柄が位置するようにリール７０が停止するが、役に構成される入賞図柄が停止可能図柄１２０ｂの中に存在しないとき（例えば、役に構成される入賞図柄が大当たり図柄１２２のとき）には、停止可能図柄１２０ｂのいずれかが中央有効ライン３７ａ上に停止して、中央有効ライン３７ａ上に入賞図柄（例えば、大当たり図柄１２２）を停止させることができないのである。
【００２１】
回転していた三つのリール７０，７０，７０が全て停止すると、入賞図柄の判定、すなわち当たりかはずれかの判定が行われ、図柄の組み合わせが予め定められた入賞図柄の組み合わせに該当するときには、メダル払出装置２１より所定枚数の遊技メダルが払い出される。なお、このとき上部スピーカ３４，３４および下部スピーカ３５より効果音が発生する。
【００２２】
このように本スロットマシンＳＭで遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００２３】
次に、図３および図４を参照しながら、リールユニット５０について説明する。ここで、図３はリールユニット５０の斜視図、図４はリールユニット５０に構成されるリール装置６０の分解斜視図である。リールユニット５０は、図３に示すように、三つのリール７０，７０，７０をそれぞれ回転・停止駆動する三つのリール装置６０，６０，６０と、三つのリール装置６０，６０，６０を収容保持するユニットケース５１とを主体に構成される。
【００２４】
ユニットケース５１は、樹脂および金属製の板材を組み合わせて箱状に形成され、各リール７０，７０，７０の回転軸がほぼ一致した状態で、三つのリール装置６０，６０，６０が内部に収容されるように構成される。このとき、三つのリール装置６０，６０，６０は、ユニットケース５１の内部に収容された状態で、ラッチ等による固定装置６６，６６，…によりユニットケース５１に収容固定されるようになっている。
【００２５】
リール装置６０は、図４に示すように、円筒外周面に沿って多種の図柄が設けられたリール７０と、リール７０を回転駆動するリールモータ６１と、リール７０の回転検出を行う回転検出センサ６２と、リール７０の円筒外周面を照らし出すバックランプ６３と、これらが取り付けられるベース板６４とを主体に構成される。
【００２６】
リールモータ６１は、所定の制御信号により作動するステッピングモータであり、リールモータ６１のモータ軸６１ａには、リール７０がこのモータ軸６１ａと一体回転するように取り付けられる。また、リールモータ６１は、ユニットケース５１の上部に取り付けられたリール装置基板５３と電気的に接続されており、リール装置基板５３から出力された回転・停止駆動信号により、リールモータ６１が回転もしくは停止作動するようになっている。すなわち、リール装置基板５３により、リール７０およびリールモータ６１の回転・停止作動制御が行われるようになっている。
【００２７】
回転検出センサ６２は、所定の検出光を発光する発光部６２ａと、発光部６２ａからの検出光を検出する受光部６２ｂとを備えたビームセンサであり、発光部６２ａと受光部６２ｂとの間にリール７０に設けられた遮光突起７２が位置すると、回転検出センサ６２の検出光が遮られるようになっている。
【００２８】
また、回転検出センサ６２は、リール装置基板５３と電気的に接続されており、回転検出センサ６２からの検出信号がリール装置基板５３に入力されるようになっている。すなわち、リール装置基板５３により、回転検出センサ６２からの検出信号に基づいて、リール７０における遮光突起７２の形成位置を回転基準位置としてリール７０の回転検出が行われるようになっている。
【００２９】
バックランプ６３は、リール７０の内側周部に位置するようにベース板６４に取り付けられており、リール７０の円筒外周面における所定領域が照らし出されるようになっている。また、バックランプ６３は、ユニットケース５１の上部に取り付けられたバックランプ中継基板５４と電気的に接続されており、バックランプ中継基板５４から出力された点灯信号により、バックランプ６３が点灯するようになっている。
【００３０】
ベース板６４は、樹脂材料を用いて射出成形等の成形手段により板状に一体的に形成され、中央部にリールモータ６１およびリール７０が取り付けられるとともに、取付ステー６５を用いて回転検出センサ６２およびバックランプ６３が取り付けられている。そして、リールモータ６１およびリール７０、そして回転検出センサ６２やバックランプ６３がベース板６４に取り付けられた状態で、図３に示すように、三つのベース板６１，６１，６１、すなわち三つのリール装置６０，６０，６０がユニットケース５１の内部に収容されるようになっている。
【００３１】
ベース板６４の上下端部前方には、ラッチ等による固定装置６６，６６が設けられており、ベース板６４（すなわちリール装置６０）をユニットケース５１の内部で収容固定することができるようになっている。ベース板６４の中央部前方には、扇形のカバー６７が設けられており、透視窓３７を通してリール７０を見たときに、三つのリール７０，７０，７０同士の隙間からリールモータ６１等のリールユニット５０の内部構成装置が見えないようになっている。
【００３２】
さて、リール７０は、リール本体７１を主体に構成され、ネジ等の固定手段によりリールモータ６１のモータ軸６１ａに取り付けられて、モータ軸６１ａと一体回転するようになっている。リール本体７１は、樹脂材料を用いて射出成形等の成形手段により円筒状に一体的に形成される。そして、リール本体７１の円筒外周面には、多種の図柄が設けられた本発明に係るリールテープ１００が装着されており、リールテープ１００をリール本体７１の円筒外周面に装着することで、リール７０（リール本体７１）の円筒外周面に沿って多種の図柄が形成されるようになっている。
【００３３】
次に、図５〜図８を参照しながら、本発明に係るリールテープ１００について説明する。ここで、図５はリールテープ１００の正面図、図６はリールテープ１００を簡略化して示す正面拡大図、図７はリールテープ１００に構成される大当たり図柄１２２の正面拡大図、そして図８は図７中の矢印ＶＩＩＩ−ＶＩＩＩに沿った断面図である。
【００３４】
リールテープ１００は、各図に示すように、透明のテープ基材１０１と、テープ基材１０１の一方の面に所定間隔をおいて設けられた複数種の各種図柄１２０と、テープ基材１０１の一方の面における各種図柄１２０を除く背景領域１３０ａに設けられた背景部１３０とを備え、テープ基材１０１の他方の面から透明のテープ基材１０１を通して見ることで、各種図柄１２０および背景部１３０を認識可能に構成される。
【００３５】
なお、三つのリールテープ１００，１００，１００は、図５および図６に示すように、各種図柄１２０の配列がそれぞれ異なっているが、構成は同様であるため同一部位に同一番号を付して重複説明を省略する。
【００３６】
テープ基材１０１は、ポリカーボネート等の透明な樹脂材料を用いて帯状に形成される。そして、テープ基材１０１の一方の面（図８を参照）には、各種図柄１２０および背景部１３０が設けられている。各種図柄１２０は、複数種の一般図柄１２１，１２１，…と、複数の大当たり図柄１２２，１２２，…とから構成される。
【００３７】
一般図柄１２１は、詳細図示しないが、テープ基材１０１の一方の面において一般図柄１２１が設けられる領域上に印刷形成された所定の図柄色を有する図柄色層（図示せず）と、図柄色層の上に重ねて印刷形成された白層（図示せず）とを主体に構成される。そして、テープ基材１０１の他方の面から透明なテープ基材１０１を通して図柄色層を見ることで、一般図柄１２１を認識することができるようになっている。なお、白層については後述する。
【００３８】
大当たり図柄１２２は、例えば、大当たり図柄１２２が三つ揃う組み合わせになったときに、他の入賞図柄の組み合わせよりも多くの遊技メダルを獲得可能に設定された図柄であり、本発明に係るリールテープに構成される図柄となっている。そして、この大当たり図柄１２２は、図８に示すように、テープ基材１０１の一方の面において大当たり図柄１２２が設けられる大当たり図柄領域１２２ａ上に印刷形成された凹凸メジウムインク層１２５と、凹凸メジウムインク層１２５の上に重ねて印刷形成された鏡面インク層１２６と、鏡面インク層１２６の上に重ねて印刷形成された白層１２７とを備えて構成される。
【００３９】
凹凸メジウムインク層１２５は、凹凸１２５ａを有する透明なインク層であり、スクリーン印刷法によりテープ基材１０１の一方の面における大当たり図柄領域１２２ａ上に印刷形成される。なお、凹凸１２５ａは、大当たり図柄領域１２２ａの縁部近傍に繋がって形成された凸部１２５ｂと、凸部１２５ｂの内側（大当たり図柄領域１２２ａの中央部）に囲まれて形成された第１凹部１２５ｃと、凸部１２５ｂの外側（大当たり図柄領域１２２ａの縁端部）に繋がって形成された第２凹部１２５ｄとから構成されている。
【００４０】
スクリーン印刷法により凹凸メジウムインク層１２５を得るには、例えば、紫外線照射により硬化するメジウムインク（図示せず）をテープ基材１０１の大当たり図柄領域１２２ａ上に所定の凹凸（凹凸１２５ａ）が得られるように塗布し、このメジウムインクを大当たり図柄領域１２２ａ上に塗布した直後にＵＶ照射機（図示せず）により紫外線を照射して極短時間で硬化させる。これにより、大当たり図柄領域１２２ａ上に塗布されたメジウムインクが平坦化する前に硬化し、凹凸１２５ａを有する透明な凹凸メジウムインク層１２５を得ることができる。
【００４１】
鏡面インク層１２６は、例えば、金色や銀色等の鏡面性を有する色インク層であり、スクリーン印刷法により凹凸メジウムインク層１２５の上に重ねて印刷形成される。そして、テープ基材１０１の他方の面から透明なテープ基材１０１および凹凸メジウムインク層１２５を通して鏡面インク層１２６を見ることで、大当たり図柄１２２を認識することができるようになっている。
【００４２】
これにより、テープ基材１０１の他方の面から透明なテープ基材１０１および凹凸メジウムインク層１２５を通して鏡面インク層１２６（すなわち大当たり図柄１２２）を見ると、凹凸メジウムインク層１２５により鏡面インク層１２６の（テープ基材１０１における）他方側の面に凹凸メジウムインク層１２５の凹凸１２５ａの形状が転写されて、鏡面インク層１２６の他方側の面に凹凸メジウムインク層１２５とは逆の形状の凹凸が形成されるため、大当たり図柄１２２が凹凸状の模様を有するように認識される。
【００４３】
このとき、図７に示すように、大当たり図柄１２２には、テープ基材１０１の他方の面から大当たり図柄１２２を見たときに、大当たり図柄１２２の縁部近傍に繋がって凹んで見える凹状部１２２ｂと、凹状部１２２ｂの内側（大当たり図柄１２２の中央部）に囲まれて凸に見える第１凸状部１２２ｃと、凹状部１２２ｂの外側（大当たり図柄領域１２２ａの縁端部）に繋がって凸に見える第２凸状部１２２ｄとが形成される。
【００４４】
そして、鏡面性を有する鏡面インク層１２６は凹凸部境界で輝度に差が生じやすいため、テープ基材１０１の他方の面から大当たり図柄１２２を見たときに、大当たり図柄１２２における凹状部１２２ｂの縁部（第１凸状部１２２ｃおよび第２凸状部１２２ｄとの境界部）で陰影が生じて、第１凸状部１２２ｃおよび第２凸状部１２２ｄが凹状部１２２ｂより突出するように見えることから、大当たり図柄１２２が凹凸状の模様により立体的に認識される。
【００４５】
そのため、リールテープの図柄部分を裏側から押圧したり、あるいは図柄の型版をテープ表面に固着するというような工程を付加する必要がなく、製造工程の増加およびコスト上昇を招かずに大当たり図柄１２２を立体的に認識することができる。また、大当たり図柄１２２が鏡面性を有する鏡面インク層１２６を備えて構成されているため、大当たり図柄１２２と（鏡面性を有していない）一般図柄１２１との違いが明確になり、一般図柄１２１に対する大当たり図柄１２２の識別力を向上させることができる。
【００４６】
さらに、凹凸メジウムインク層１２５の凸部１２５ｂが、大当たり図柄領域１２２ａの縁部近傍に繋がって形成されているため、鏡面インク層１２６における凹凸の境界部分が大当たり図柄領域１２２ａの縁部近傍に位置して（すなわち、大当たり図柄１２２の凹状部１２２ｂが大当たり図柄１２２の縁部近傍に位置して）、大当たり図柄１２２全体が立体的に見えることから、大当たり図柄１２２をより立体的に認識することができる。
【００４７】
白層１２７は、白色インク層であり、スクリーン印刷法により鏡面インク層１２６および一般図柄１２１の図柄色層（図示せず）、並びに背景部１３０における背景色層１３６の上に重ねて印刷形成される。これにより、テープ基材１０１の他方の面から透明なテープ基材１０１および凹凸メジウムインク層１２５を通して鏡面インク層１２６を見たときに、白層１２７が鏡面インク層１２６の下地となって、鏡面インク層１２６すなわち大当たり図柄１２２をより見やすくすることができる。また同様に、テープ基材１０１の他方の面から透明なテープ基材１０１を通して図柄色層を見たときに、白層１２７が図柄色層の下地となって、図柄色層すなわち一般図柄１２１をより見やすくすることができる。
【００４８】
なお、大当たり図柄１２２に構成される鏡面インク層１２６は、光を透過させない性質を有している。そのため、リール７０の内側周部、すなわちテープ基材１０１の一方の面側においてバックランプ６３を発光させると、大当たり図柄１２２の部分ではバックランプ６３からの光が透過できない。そこで、大当たり図柄１２２には、光が透過可能な抜き部１２３が設けられている。
【００４９】
抜き部１２３は、テープ基材１０１の一方の面において抜き部１２３が設けられる（大当たり図柄領域１２２ａ内に位置する）抜き部領域１２３ａ上に印刷形成された凹凸メジウムインク層１２５を主体に構成され、抜き部領域１２３ａにおける透明なテープ基材１０１および凹凸メジウムインク層１２５を光が透過するようになっている。これにより、リール７０の内側周部、すなわちテープ基材１０１の一方の面側においてバックランプ６３を発光させると、大当たり図柄１２２の鏡面インク層１２６を有する部分ではバックランプ６３からの光が透過できないが、大当たり図柄１２２に設けられた抜き部１２３ではバックランプ６３からの光が透過できることから、バックランプ６３を点灯させたときの大当たり図柄１２２の識別力を向上させることができるとともに、大当たり図柄１２２を狙ってリール７０を停止させることが容易になる。
【００５０】
背景部１３０は、テープ基材１０１の一方の面において背景部１３０が設けられる背景領域１３０ａ上に印刷形成されたメジウムインク層１３５と、メジウムインク層１３５の上に重ねて印刷形成された背景色層１３６と、背景色層１３６の上に重ねて印刷形成された白層１２７と、白層１２７の上に重ねて印刷形成された銀止め層１３８とを備えて構成される。メジウムインク層１３５は透明のインク層であり、スクリーン印刷法によりテープ基材１０１の一方の面における背景領域１３０ａ上に印刷形成される。
【００５１】
背景色層１３６は、所定の背景色を有するインク層であり、スクリーン印刷法によりメジウムインク層１３５の上に重ねて印刷形成される。そして、テープ基材１０１の他方の面から透明なテープ基材１０１およびメジウムインク層１３５を通して背景色層１３６を見ることで、背景部１３０を認識することができるようになっている。
【００５２】
白層１２７は、前述したように、スクリーン印刷法により大当たり図柄１２２の鏡面インク層１２６および一般図柄１２１の図柄色層（図示せず）、並びに背景色層１３６の上に重ねて印刷形成される。これにより、テープ基材１０１の他方の面から透明なテープ基材１０１メジウムインク層１３５を通して背景色層１３６を見たときに、白層１２７が背景色層１３６の下地となって、背景色層１３６すなわち背景部１３０をより見やすくすることができる。
【００５３】
銀止め層１３８は、光が透過しない有色インク層であり、スクリーン印刷法により背景部１３０における白層１２７の上に重ねて印刷形成される。これにより、リール７０の内側周部、すなわちテープ基材１０１の一方の面側においてバックランプ６３を発光させると、各種図柄１２０（一般図柄１２１および大当たり図柄１２２の抜き部１２３）の部分ではバックランプ６３からの光が透過するが、背景部１３０の部分では銀止め層１３８によりバックランプ６３からの光が透過しないため、バックランプ６３を用いてリールテープ１００における各種図柄１２０（一般図柄１２１および大当たり図柄１２２の抜き部１２３）のみを効果的に照らし出すことができる。
【００５４】
以上のように構成されるリールテープ１００において、テープ基材１０１の他方の面からテープ基材１０１を通して大当たり図柄１２２を見たときに、凹凸メジウムインク層１２５および鏡面インク層１２６により大当たり図柄１２２に凹凸状の模様（すなわち、凹状部１２２ｂ、第１凸状部１２２ｃおよび第２凸状部１２２ｄ）が形成されるため、大当たり図柄１２２を立体的に認識することができる。
【００５５】
また、テープ基材１０１と、凹凸メジウムインク層１２５とがそれぞれ透明であるため、テープ基材１０１の他方の面からテープ基材１０１を通して各種図柄１２０および背景部１３０を見たときに、より明確に各種図柄１２０および背景部１３０を認識することができる。
【００５６】
そして、リールテープ１００を粘着テープ等の装着手段（図示せず）を用いてリール本体７１の円筒外周面に装着することで、リール７０（リール本体７１）の円筒外周面に沿って複数種の各種図柄１２０が形成され、この状態でリール７０が使用に供される。
【００５７】
以上のような構成のリールテープ１００によれば、凹凸メジウムインク層１２５により鏡面インク層１２６が凹凸を有するように形成されるため、テープ基材１０１の他方の面からテープ基材１０１を通して大当たり図柄１２２を見たときに、大当たり図柄１２２が立体的に見えることから、リールテープの図柄部分を裏側から押圧したり、あるいは図柄の型版をテープ表面に固着するというような工程を付加する必要がなく、製造工程の増加およびコスト上昇を招かずに大当たり図柄１２２を立体的に認識することができる。
【００５８】
また、テープ基材１０１と、凹凸メジウムインク層１２５とがそれぞれ透明であるため、テープ基材１０１の他方の面からテープ基材１０１を通して各種図柄１２０および背景部１３０を見たときに、より明確に各種図柄１２０および背景部１３０を認識することができる。
【００５９】
さらに、凹凸メジウムインク層１２５の凸部１２５ｂが、大当たり図柄領域１２２ａの縁部近傍に繋がって形成されているため、鏡面インク層１２６における凹凸の境界部分が大当たり図柄領域１２２ａの縁部近傍に位置して（すなわち、大当たり図柄１２２の凹状部１２２ｂが大当たり図柄１２２の縁部近傍に位置して）、大当たり図柄１２２全体が立体的に見えることから、大当たり図柄１２２をより立体的に認識することができる。
【００６０】
また、大当たり図柄１２２に光が透過可能な抜き部１２３を設けることより、リール７０の内側周部、すなわちテープ基材１０１の一方の面側においてバックランプ６３を発光させると、大当たり図柄１２２の鏡面インク層１２６を有する部分ではバックランプ６３からの光が透過できないが、大当たり図柄１２２に設けられた抜き部１２３ではバックランプ６３からの光が透過できることから、バックランプ６３を点灯させたときの大当たり図柄１２２の識別力を向上させることができるとともに、大当たり図柄１２２を狙ってリール７０を停止させることが容易になる。
【００６１】
なお、上述の実施形態において、図８の二点鎖線で示すように、所定の色模様を有する色層１２８を、凹凸メジウムインク層１２５における第１凹部１２５ｃの上に重ねて印刷形成するようにしてもよい。このようにすれば、テープ基材１０１の他方の面からテープ基材１０１を通して大当たり図柄１２２を見たときに、大当たり図柄１２２における凹状部１２２ｂの内側に囲まれた領域（第１凸状部１２２ｃ）に所定の色模様（すなわち色層１２８）が認識されるため、大当たり図柄１２２の色彩を豊かにすることができる。
【００６２】
また、上述の実施形態において、同様に、光沢を有する箔層１２９を、凹凸メジウムインク層１２５における第１凹部１２５ｃの上に重ねて印刷形成するようにしてもよい。このようにすれば、テープ基材１０１の他方の面からテープ基材１０１を通して大当たり図柄１２２を見たときに、大当たり図柄１２２における凹状部１２２ｂの内側に囲まれた領域（第１凸状部１２２ｃ）に光沢を有する箔状体（すなわち箔層１２９）が認識されるため、大当たり図柄１２２の色彩を豊かにすることができる。
【００６３】
さらに、上述の実施形態において、本発明に係るリールテープ１００がスロットマシンＳＭに用いられているが、これに限られるものではなく、例えば、パチンコ機等、回転可能なリールを備えた遊技機に本発明に係るリールテープを用いることができる。
【００６４】
さらに、上述の実施形態において、凹凸メジウムインク層１２５の凸部１２５ｂが、大当たり図柄領域１２２ａの縁部近傍に繋がって形成されているが、これに限られるものではなく、凹凸メジウムインク層の凹部が、大当たり図柄領域の縁部近傍に繋がって形成されるようにしてもよい。
【００６５】
具体的には、図９に示すように、リールテープ２００に構成される大当たり図柄２２２が、テープ基材１０１の一方の面において大当たり図柄２２２が設けられる大当たり図柄領域２２２ａ上に印刷形成された凹凸メジウムインク層２２５と、凹凸メジウムインク層２２５の上に重ねて印刷形成された鏡面インク層２２６と、鏡面インク層２２６の上に重ねて印刷形成された白層１２７とを備えて構成され、凹凸メジウムインク層２２５の凹部２２５ｂが、大当たり図柄領域２２２ａの縁部近傍に繋がって形成される。
【００６６】
すなわち、凹凸メジウムインク層２２５の凹凸２２５ａが、大当たり図柄領域２２２ａの縁部近傍に繋がって形成された凹部２２５ｂと、凹部２２５ｂの内側（大当たり図柄領域２２２ａの中央部）に囲まれて形成された第１凸部２２５ｃと、凹部２２５ｂの外側（大当たり図柄領域２２２ａの縁端部）に繋がって形成された第２凸部２２５ｄとから構成される。
【００６７】
これにより、テープ基材１０１の他方の面から透明なテープ基材１０１および凹凸メジウムインク層２２５を通して鏡面インク層２２６（すなわち大当たり図柄２２２）を見ると、大当たり図柄２２２が、大当たり図柄１２２の縁部近傍に繋がって凸に見える凸状部（図示せず）と、凸状部の内側（大当たり図柄２２２の中央部）に囲まれて凹んで見える第１凹状部（図示せず）と、凸状部の外側（大当たり図柄領域１２２ａの縁端部）に繋がって凹んで見える第２凹状部（図示せず）とからなる凹凸状の模様を有するように認識される。すなわち、大当たり図柄２２２は、上述の実施形態における大当たり図柄１２２と凹凸が逆になる。
【００６８】
そのため、テープ基材１０１の他方の面から大当たり図柄２２２を見たときに、大当たり図柄２２２における凸状部が大当たり図柄２２２の縁部近傍に位置して（鏡面インク層２２６における凹凸の境界部分が大当たり図柄領域２２２ａの縁部近傍に位置して）、第１凹状部および第２凹状部より突出するように見えることから、上述の実施形態と同様に、大当たり図柄２２２全体が立体的に見え、大当たり図柄２２２をより立体的に認識することができる。なお、リールテープ２００に構成される背景部１３０および抜き部１２３については、上述の実施形態と同様の構成であるため同一部位に同一番号を付して説明を省略する。
【００６９】
【発明の効果】
以上説明したように、本発明による遊技機のリールテープによれば、凹凸メジウムインク層により鏡面インク層が凹凸を有するように形成されるため、テープ基材の他方の面からテープ基材を通して図柄を見たときに、図柄が立体的に見えることから、リールテープの図柄部分を裏側から押圧したり、あるいは図柄の型版をテープ表面に固着するというような工程を付加する必要がなく、製造工程の増加およびコスト上昇を招かずに図柄を立体的に認識することができる。
【００７０】
また、テープ基材と、凹凸メジウムインク層とがそれぞれ透明であることが好ましい。このようにすれば、テープ基材の他方の面からテープ基材を通して図柄を見たときに、より明確に図柄を認識することができる。
【００７１】
さらに、凹凸メジウムインク層は、図柄領域の縁部近傍に繋がって形成された凹部もしくは凸部を有して構成されることが好ましい。このようにすれば、鏡面インク層における凹凸の境界部分が図柄（領域）の縁部近傍に位置して、図柄全体が立体的に見えるため、図柄をより立体的に認識することができる。
【００７２】
また、図柄に光が透過可能な抜き部が設けられていることが好ましい。このようにすれば、鏡面インク層では光が透過しないため、バックランプをリールの内側周部で点灯させると、図柄の鏡面インク層を有する部分ではバックランプからの光が透過できないが、図柄に設けられた抜き部ではバックランプからの光が透過できることから、バックランプを点灯させたときの図柄の識別力を向上させることができるとともに、特定の図柄を狙ってリールを停止させることが容易になる。
【図面の簡単な説明】
【図１】本発明に係るリールテープを備えた遊技機の一例として示すスロットマシンの斜視図である。
【図２】上記スロットマシンにおける前面扉を取り外した状態を示す正面図である。
【図３】リールユニットの斜視図である。
【図４】リール装置の分解斜視図である。
【図５】本発明に係るリールテープの正面図である。
【図６】上記リールテープを簡略化して示す正面拡大図である。
【図７】上記リールテープに構成される大当たり図柄の正面拡大図である。
【図８】図７中の矢印ＶＩＩ−ＶＩＩに沿った断面図である。
【図９】本発明に係るリールテープの変形例を示す側断面図である。
【符号の説明】
ＳＭ  スロットマシン
１  キャビネットケース
２  筐体
３  前面扉
４  施錠装置
２１  メダル払出装置
２２  主制御基板
２３  電源装置
３１  メダル投入口
３２  スタートレバー
３３  停止ボタン
３４  上部スピーカ
３５  下部スピーカ
３７  透視窓（３７ａ  中央有効ライン、３７ｂ  上部有効ライン、３７ｃ  下部有効ライン、３７ｄ  左斜め有効ライン３７ｅ  右斜め有効ライン）
３８  メダル払出口
３９  受け皿
５０  リールユニット
５１  ユニットケース
５３  リール装置基板
５４  バックランプ中継基板
６０  リール装置
６１  リールモータ（６１ａ  モータ軸）
６２  回転検出センサ（６２ａ  発光部、６２ｂ  受光部）
６３  バックランプ
６４  ベース板
６５  取付ステー
６６  固定装置
６７  カバー
７０  リール
７１  リール本体
７２  遮光突起
１００  リールテープ
１０１  テープ基材
１２０  各種図柄（１２０ａ  ライン図柄、１２０ｂ  停止可能図柄）
１２１  一般図柄
１２２  大当たり図柄（１２２ａ  大当たり図柄領域、１２２ｂ  凹状部、１２２ｃ  第１凸状部、１２２ｄ  第２凸状部）
１２３  抜き部（１２３ａ  抜き部領域）
１２５  凹凸メジウムインク層（１２５ａ  凹凸、１２５ｂ  凸部、１２５ｃ  第１凹部、１２５ｄ  第２凹部）
１２６  鏡面インク層
１２７  白層
１２８  色層
１２９  箔層
１３０  背景部（１３０ａ  背景領域）
１３５  メジウムインク層
１３６  背景色層
１３８  銀止め層
２００  リールテープ（変形例）
２２２  大当たり図柄（２２２ａ  大当たり図柄領域）
２２５  凹凸メジウムインク層（２２５ａ  凹凸、２２５ｂ  凹部、２２５ｃ  第１凸部、２２５ｄ  第２凸部）
２２６  鏡面インク層
【図１】
2004242982.tif 000003
【図２】
2004242982.tif 000004
【図３】
2004242982.tif 000005
【図４】
2004242982.tif 000006
【図５】
2004242982.tif 000007
【図６】
2004242982.tif 000008
【図７】
2004242982.tif 000009
【図８】
2004242982.tif 000010
【図９】
2004242982.tif 000011